(57)【要約】【課題】  ミニディスク及びコンパクトディスクの兼用ディスクプレーヤを小型化する。【解決手段】  筐体２の前面のパネル３には、ミニディスクの挿入口７ａの中央位置がコンパクトディスクの挿入口７の中央位置より左側に変位したディスク挿入口が形成されている。旋回フレーム１１にミニディスク用回転ユニット１２及びコンパクトディスク用回転ユニット１３と、ミニディスク及びコンパクトディスクの兼用ピックアップ１４と、この兼用ピックアップ１４を移動させる送り機構１５とを配置する。コンパクトディスク挿入時には、回転機構３０によって旋回フレーム１１を水平旋回させる。【選択図】      図１
2006048919.tif 000002
【特許請求の範囲】
【請求項１】
ミニディスクとコンパクトディスクとを選択的に１つの筐体内に挿入して、前記ミニディスクまたは前記コンパクトディスクに記録された情報を読取るミニディスク及びコンパクトディスクの兼用ディスクプレーヤにおいて、
前記ミニディスクの挿入口と前記コンパクトディスクの挿入口とを有し、前記ミニディスクの挿入口の中央位置を、前記コンパクトディスクの挿入口の中央位置よりも左側に変位させたディスク挿入口を有するパネルと、
前記ミニディスクを回転させるミニディスク用回転ユニットと、
前記コンパクトディスクを回転させるコンパクトディスク用回転ユニットと、
前記ミニディスク用回転ユニットと前記コンパクトディスク用回転ユニットとの間に移動自在に配置したミニディスク及びコンパクトディスク兼用のピックアップとを備えて構成したことを特徴とするミニディスク及びコンパクトディスクの兼用ディスクプレーヤ。
【請求項２】
前記ディスク挿入口は、前記ミニディスクの挿入口と前記コンパクトディスクの挿入口とが連結して一体的な開口として形成されていることを特徴とする請求項１記載のミニディスク及びコンパクトディスクの兼用ディスクプレーヤ。
【発明の詳細な説明】
【技術分野】
【０００１】
本発明は、ミニディスク及びコンパクトディスクの兼用ディスクプレーヤの改良に関する。
【背景技術】
【０００２】
ミニディスク及びコンパクトディスクの兼用ディスクプレーヤとして、例えば特開平７−２９６４９９号公報（特許文献１）「ミニディスク及びコンパクト兼用ディスクプレーヤー」が知られている。
【０００３】
上記技術は、同公報図１に示される通り、ディスクプレーヤーのシャーシであるベースプレート１６を設け、ディスク搭載側を前面とするときにベースプレート１６の底部前方にコンパクトディスク用スピンドルアセンブリ１０を配置し、このコンパクトディスク用スピンドルアセンブリ１０の後方にミニディスク用スピンドルアセンブリ３０を配置し、これらのアセンブリ１０，３０の間にピックアップ装置１４を移動可能に配置し、このピックアップ装置１４を駆動する送り機構としてのフィージング手段１２を設け、コンパクトディスを搬入するためにコンパクトディスクトレー２０をベースプレート１６にスライド可能に配置し、ミニディスクを搬入するためにミニディスクトレー３４をコンパクトディスクトレー２０内にスライド可能に配置し、さらに、コンパクトディスクトレー２０の側壁部の一部を開放してミニディスクカートリッジ挿入開口部５１を設け、ミニディスクトレー３４の側壁部の一部を開放してミニディスクカートリッジ挿入開口部５０を設けたものである。
【０００４】
即ち、ミニディスク及びコンパクトディスクの回転部分をシャーシにそれぞれ縦配置し、これらの回転部分の間にミニディスク及びコンパクトディスク兼用のピックアップをスライド可能に配置し、コンパクトディスク用トレーの中にミニディスク用トレーを配置したものである。
コンパクトディスクを使用するときは、コンパクトディスクトレー２０に前面上部からコンパクトディスクを搭載し、ベースプレート１６の底部前方に設けたコンパクトディスク用スピンドルアセンブリ１０でディスクを回転させピックアップ装置１４でディスクに記録された情報を読取る。
【０００５】
一方、ミニディスクを使用するときは、コンパクトディスクトレー２０及びミニディスクトレー３４の側面からミニディスクカートリッジ挿入開口部５０，５１を介してミニディスクを搭載し、ベースプレート１６の底部後方に設けたミニディスク用スピンドルアセンブリ３０でディスクを回転させピックアップ装置１４でディスクに記録された情報を読取る。
【０００６】
ここで上記技術のように、ミニディスクとコンパクトディスクとで専用の回転部分を有する兼用ディスクプレーヤの平面的なスペーシングについて次図に基づいて説明する。
【特許文献１】特開平７−２９６４９９号公報
【発明の開示】
【発明が解決しようとする課題】
【０００７】
図６（ａ），（ｂ）は従来のミニディスクとコンパクトディスクとを配置したときの平面図であり、（ａ）は上記技術の平面配置の一例を示し、（ｂ）は（ａ）を改良した平面配置を示す。
（ａ）は、ミニディスク１００とコンパクトディスク１０１を同一平面上に並べたものである。なお、１００ａはミニディスク１００のセンタ孔、１００ｂはミニディスク１００のシャッタ、１００ｃはミニディスク１００のハウジングを示し、１０１ａはコンパクトディスクのセンタ孔を示す。
ミニディスク１００のハウジング１００ｃの一片の寸法をＡ、ミニディスク１００とコンパクトディスク１０１とのクリアランスをＢ、コンパクトディスク１０１の外径寸法をＣとすれば、ミニディスク１００とコンパクトディスク１０１を平面的に配置するための寸法Ｄ１はＡ＋Ｂ＋Ｃとなる。ここで、寸法Ａ及び寸法Ｃはそれぞれの規格で決まっている寸法であり（Ａ＝７２ｍｍ、Ｃ＝１２０ｍｍ）、例えば、Ｂ寸法を５ｍｍに設定すると、寸法Ｄは（Ｄ＝７２ｍｍ＋５ｍｍ＋１２０ｍｍ）１９７ｍｍ必要となる。
【０００８】
ところで、車載用のミニディスクプレーヤやコンパクトディスクプレーヤ等は、ＤＩＮ規格（旧西ドイツ規格）に対応したものでないと、ほとんどの車両内のコンソールボックスに取付けることができない。例えば、ＤＩＮ規格で規定された「１ＤＩＮサイズ」は、正面パネルサイズで１７８ｍｍ（幅）×５３ｍｍ（高さ）であるから、上記配置では「１ＤＩＮサイズ」からはみ出たものであり、ＤＩＮ規格に対応したディスクプレーヤを作ることはできない。
発明者らは研究を重ね、ミニディスク及びコンパクトディスクの兼用ピックアップ１０３を最小限の寸法にすることで（ｂ）に示すミニディスク１００とコンパクトディスク１０１との配置を試みた。
【０００９】
（ｂ）は、ミニディスク１００とコンパクトディスク１０１とを同一平面上に並べたものであり、ミニディスク１００とコンパクトディスク１０１とを同時に使用することがないことを前提に、ミニディスク１００とコンパクトディスク１０１との間に配置するピックアップ１０３を最小限に小型化することで、ミニディスク１００とコンパクトディスク１０１とのセンタ孔１００ａ，１０１ａ間を接近させ（ａ）に示すセンタ孔間距離Ｌ１からセンタ孔間距離Ｌ２にしたものである。
ミニディスク１００とコンパクトディスク１０１とのオーバラップした寸法をＥとすれば、寸法Ｄ２はＡ＋Ｃ−Ｅとなる。（ａ）に示した寸法Ｄ１（Ａ＋Ｂ＋Ｃ）からは、Ｂ＋Ｅ短縮したことを示す。
これにより、Ｄ２は１８０ｍｍ前後の寸法になったものの「１ＤＩＮサイズ」に収らない。
【課題を解決するための手段】
【００１０】
発明者はさらに研究を重ね、スペーシングのよいコンパクトなミニディスク及びコンパクトディスクの兼用ディスクプレーヤを発明するに至ったのである。
具体的に、以下の構成よりなるミニディスク及びコンパクトディスクの兼用ディスクプレーヤを提供するものである。
【００１１】
（１）ミニディスクとコンパクトディスクとを選択的に１つの筐体内に挿入して、前記ミニディスクまたは前記コンパクトディスクに記録された情報を読取るミニディスク及びコンパクトディスクの兼用ディスクプレーヤにおいて、前記ミニディスクの挿入口と前記コンパクトディスクの挿入口とを有し、前記ミニディスクの挿入口の中央位置を、前記コンパクトディスクの挿入口の中央位置よりも左側に変位させたディスク挿入口を有するパネルと、前記ミニディスクを回転させるミニディスク用回転ユニットと、前記コンパクトディスクを回転させるコンパクトディスク用回転ユニットと、前記ミニディスク用回転ユニットと前記コンパクトディスク用回転ユニットとの間に移動自在に配置したミニディスク及びコンパクトディスク兼用のピックアップとを備えて構成したことを特徴とするミニディスク及びコンパクトディスクの兼用ディスクプレーヤ。
（２）前記ディスク挿入口は、前記ミニディスクの挿入口と前記コンパクトディスクの挿入口とが連結して一体的な開口として形成されていることを特徴とする上記（１）記載のミニディスク及びコンパクトディスクの兼用ディスクプレーヤ。
【発明の効果】
【００１２】
本発明によれば、ミニディスク及びコンパクトディスクの兼用ディスクプレーヤを小型化することができる。
【発明を実施するための最良の形態】
【００１３】
本発明の実施の形態を添付図に基づいて以下に説明する。なお、図面は符号の向きに見るものとする。
図１は本発明に係るミニディスク及びコンパクトディスクの兼用ディスクプレーヤの外観を示す斜視図である。
ミニディスク及びコンパクトディスクの兼用ディスクプレーヤ１は、箱型の筐体２と、この筐体２の前面に取付けたパネル３と、筐体２の上面を覆う上部カバー４と、筐体２に浮して取付けたシャーシとしてのフローティングシャーシ５と、このフローティングシャーシ５に回転可能に取付けたメカユニット１０と、このメカユニット１０を水平旋回させるための回転機構３０とからなる。
パネル３は、コンパクトディスクの挿入口７と、このコンパクトディスクの挿入口７の一部に一体的に形成したミニディスクの挿入口７ａとを備える。
この際、ミニディスクの挿入口７ａの中央位置Ｍｏは、コンパクトディスクの挿入口７の中央位置Ｃｏよりδだけ左方に変位して形成されている。
フローティングシャーシ５は、メカユニット１０を水平旋回可能に支持する支持部５ａを備える。
【００１４】
図２は図１の２矢視図であり、上部カバー４（図１参照）を取り外した状態のミニディスク及びコンパクトディスクの兼用ディスクプレーヤ１の平面を示す。
メカユニット１０は、略矩形の旋回フレーム１１と、この旋回フレーム１１に設けたミニディスク用回転ユニット１２と、このミニディスク用回転ユニット１２に対向して設けたコンパクトディスク用回転ユニット１３と、これらの回転ユニット１２，１３の間に移動可能に配置したミニディスク及びコンパクトディスク兼用ピックアップ１４と、この兼用ピックアップ１４を駆動するための送り機構１５とからなる。
【００１５】
旋回フレーム１１は、フローティングシャーシ５の支持部５ａに嵌合する孔１１ａと、回転機構３０に嵌合するカム溝１１ｂとを備える。
ミニディスク用回転ユニット１２は、旋回フレーム１１に取付けたモータ１８、このモータ１８に取付けたターンテーブル１９とからなる。
コンパクトディスク用回転ユニット１３は、旋回フレーム１１に取付けたモータ２１、このモータ２１に取付けたターンテーブル２２とからなる。
送り機構１５は、旋回フレーム１１に取付けた送りモータ２３と、この送りモータ２３にギヤ群２４を介して接続したミニディスク及びコンパクトディスク兼用ピックアップ１４を移動するための送りねじ２５とからなる。
【００１６】
回転機構３０は、フローティングシャーシ５に取付けたモータ３１と、このモータ３１にギヤ群３２を介して接続したカムギヤ３３と、このカムギヤ３３の動きを旋回フレーム１１に伝える伝達レバー３４とからなる。
カムギヤ３３は、ギヤ群３２に噛み合うギヤ部３３ａと、伝達レバー３４に嵌合するカム溝３３ｂとからなる。
伝達レバー３４は、板状のレバー本体３４ａと、フローティングシャーシ５に回転可能に取付けた支持部３４ｂと、旋回フレーム１１のカム溝１１ｂに嵌合させた第１のピン３４ｃと、カムギヤ３３のカム溝３３ｂに嵌合させた第２のピ３４ｄとからなる。
モータ３１を回転することでギヤ群３２を介してカムギヤ３３が回転し、このカムギヤ３３のカム溝３３ｂに嵌合した第２のピ３４ｄにより伝達レバー３４が回転し、この伝達レバー３４の第１のピン３４ｃにより旋回フレーム１１を水平旋回させるものである。
【００１７】
以上に述べたミニディスク及びコンパクトディスクの兼用ディスクプレーヤ１の作用を次に説明する。
図３（ａ），（ｂ）は本発明に係るミニディスク及びコンパクトディスクの兼用ディスクプレーヤの第１作用説明図であり、ミニディスク４０の情報を読取るためのメカユニット１０の位置を示す。なお、（ａ）はミニディスク及びコンパクトディスク兼用プレーヤ１の平面を示し、（ｂ）は正面を示す。
ミニディスク４０の情報を読取るためのメカユニット１０の位置は、イニシャル状態のメカユニット１０の位置でもあり、矢印丸１，丸１の如くミニディスクの挿入口７ａからミニディスク４０を挿入すると、図示せぬ検出スイッチによってミニディスク４０であることを検知し、イニシャル状態を保つ。
ミニディスク４０は、ミニディスクの挿入口７ａによりパネル３に対して横方向の位置は規制されるので、ミニディスク４０とターンテーブル１９との横方向の位置は一致する。
【００１８】
図４（ａ），（ｂ）は本発明に係るミニディスク及びコンパクトディスクの兼用ディスクプレーヤの第２作用説明図であり、コンパクトディスク５０の情報を読取るためのメカユニット１０の位置を示す。なお、（ａ）はミニディスク及びコンパクトディスク兼用プレーヤ１の平面を示し、（ｂ）は正面を示す。
矢印丸２，丸２の如くコンパクトディスクの挿入口７からコンパクトディスク５０を挿入すると、図示せぬ検出スイッチによってコンパクトディスク５０であることを検知し、モータ３１を回転させギヤ群３２を介してカムギヤ３３が矢印丸３の如く回転し、このカムギヤ３３のカム溝３３ｂに嵌合した第２のピ３４ｄにより伝達レバー３４が矢印丸４の如く回転し、この伝達レバー３４の第１のピン３４ｃにより旋回フレーム１１がフローティングシャーシ５の支持部５ａを支点として矢印丸５の如く回転し、コンパクトディスク５０の読取り位置をコンパクトディスク５０の挿入口７の略中央まで移動させる。
コンパクトディスク５０の読取り位置をコンパクトディスク５０の挿入口７の略中央に合せたので、ミニディスク及びコンパクトディスクの兼用ディスクプレーヤ１を小型化することができる。
なお、コンパクトディスク５０は、挿入口７から挿入することで、図示せぬセンタリング機構によってターンテーブル２２にセンタリングされるものである。
【００１９】
図５は本発明に係るミニディスク及びコンパクトディスクの兼用ディスクプレーヤの第３作用説明図であり、コンパクトディスク５０の情報を読取るために旋回フレーム１１を所定の位置まで回転させた場合と、旋回フレーム１１を回転させない場合とのスペーシングを比較したものである。
旋回フレーム１１を所定の位置まで回転させたターンテーブル２２及びコンパクトディスク５０の位置を２点鎖線で示す。旋回フレーム１１を回転させない場合のターンテーブル２２を破線で示し、旋回フレーム１１を回転させない場合のコンパクトディスク５０の位置を実線で示す。
【００２０】
旋回フレーム１１を所定の位置まで回転させた場合のコンパクトディスク５０の位置は、コンパクトディスク５０の挿入口７に対し略中央であるのに対し、旋回フレーム１１を回転させない場合のコンパクトディスク５０の位置は、挿入口７に対し図面視右寄りであるためミニディスク及びコンパクトディスクの兼用ディスクプレーヤ１の外にはみ出したものとなる。
即ち、旋回フレーム１１を矢印丸６の如く所定の位置まで回転させることで、パネル３の横方向に対し寸法Ｆだけ小型化できたことを示す。
これにより、ＤＩＮ規格に対応した車載用のミニディスク及びコンパクトディスクの兼用ディスクプレーヤを具体化することができる。
【図面の簡単な説明】
【００２１】
【図１】本発明に係るミニディスク及びコンパクトディスクの兼用ディスクプレーヤの分解斜視図である。
【図２】図１の２矢視図である。
【図３】本発明に係るミニディスク及びコンパクトディスクの兼用ディスクプレーヤの第１作用説明図である。
【図４】本発明に係るミニディスク及びコンパクトディスクの兼用ディスクプレーヤの第２作用説明図である。
【図５】本発明に係るミニディスク及びコンパクトディスクの兼用ディスクプレーヤの第３作用説明図である。
【図６】従来のミニディスクとコンパクトディスクとを配置したときの平面図である。
【符号の説明】
【００２２】
１  ミニディスク及びコンパクトディスクの兼用ディスクプレーヤ
５  シャーシ（フローティングシャーシ）
７  コンパクトディスクの挿入口
７ａ  ミニディスクの挿入口
１１  旋回フレーム
１２  ミニディスク用回転ユニット
１３  コンパクトディスク用回転ユニット
１４  ミニディスク及びコンパクトディスクの兼用ピックアップ
１５  送り機構
３０  回転機構
４０  ミニディスク
５０  コンパクトディスク
【図１】
2006048919.tif 000003
【図２】
2006048919.tif 000004
【図３】
2006048919.tif 000005
【図４】
2006048919.tif 000006
【図５】
2006048919.tif 000007
【図６】
2006048919.tif 000008